(57)【要約】【課題】収納された商品を安定して保持しかつ商品の外観全体を容器の外部から視認できるようにする。【解決手段】商品収納容器１０は、スプールＸを収納し、容器本体１１と、第１内側部材１２と、第２内側部材１３と、を備えている。容器本体は、透光性を有し、底面部２０と、底面部の外周を囲んで内部にスプールの収納空間１１ａを生成する側面部２２及び底面部と対向して配置され開閉可能な蓋部２４を有する。第１内側部材は、収納空間に配置され、底面部と間隔を隔てて配置されスプールを載置する台座面３１及び台座面に形成された係合孔３３を有する係合部３２を有する。第２内側部材は、収納空間に配置され台座面と交差する方向に延びる多角形筒形状の部材であり、スプールの内周部を保持する複数の角部４１ａ〜４１ｄ及び交差する方向に移動不能に係合孔３３に係合する被係合部４２ａ，４２ｃ，４２ｄを有する。【選択図】図３
2010202198.tif 000002
【特許請求の範囲】
【請求項１】
筒状の商品を収納する箱状の商品収納容器であって、
底面部と、前記底面部の外周を囲んで内部に前記商品が収納される収納空間を生成する側面部と、前記底面部と対向して配置され開閉可能な蓋部と、を有する透光性を有する容器本体と、
前記収納空間に配置され、前記底面部と間隔を隔てて配置され前記商品を載置するための矩形の台座面、及び前記台座面に形成された係合孔を有する係合部を有する第１内側部材と、
前記収納空間に配置され前記台座面と交差する方向に延びる多角形筒形状であり、前記商品の内周部を保持する複数の角部、及び前記交差する方向に移動不能に前記係合孔に係合する被係合部を有する第２内側部材と、
を備えた商品収納容器。
【請求項２】
前記被係合部は、前記複数の角部の少なくとも一つに前記台座面を挿入可能に矩形に切り欠いて形成されている、請求項１に記載の商品収納容器。
【請求項３】
前記被係合部は、一つの前記角部を除いて前記複数の角部に形成されており、
前記係合孔は、実質的に前記第２内側部材の多角筒が係合する多角形孔であり、前記係合孔の一辺には、前記係合孔に前記第２内側部材を装着した後に回転させたときに前記第２内側部材の前記被係合部が形成されていない前記一つの角部を配置可能に切り欠かれた一つの角部配置部が形成されている、請求項２に記載の商品収納容器。
【請求項４】
前記係合孔の前記角部配置部が形成されていない残りの辺には、前記被係合部が弾性的に接触する被係合部接触部が形成されている、請求項３に記載の商品収納容器。
【請求項５】
前記多角形筒は、四角形筒である、請求項２から４のいずれか１項に記載の商品収納容器。
【請求項６】
前記第１内側部材は、前記台座面の少なくとも二辺から前記底面部に向かってそれぞれ延びる少なくとも二つの脚部をさらに有する、請求項２から５のいずれか１項に記載の商品収納容器。
【請求項７】
前記第１内側部材は、前記脚部の一つから延びて前記底面部に沿って配置される内底面部と、前記内底面部から延びて前記側面部の一つに沿って配置される内側面部と、前記内側面部から延びて前記蓋部に沿って配置される内蓋部と、をさらに有する、請求項６に記載の商品収納容器。
【請求項８】
前記第２内側部材は、１枚のボール紙製のシートを折り曲げて形成された部材である、請求項２から７のいずれか１項に記載の商品収納容器。
【請求項９】
前記容器本体は、１枚の透明合成樹脂製のシートを折り曲げて一体的に形成されている、請求項２から８のいずれか１項に記載の商品収納容器。
【発明の詳細な説明】
【技術分野】
【０００１】
本発明は、商品収納容器、特に、商品を収納する箱状の商品収納容器に関する。
【背景技術】
【０００２】
近年、多くの商品は、箱状の商品収納容器に収納されて店頭に並べられている。従来の商品収納容器は、たとえばウレタン樹脂等の透明シートから形成された箱状のものである。この商品収納容器は、箱体の上面側又は底面側に別体で設けられた蓋体が開閉可能に装着されており、そのいずれか一方を開閉して箱体の内部に商品が収納されている。このような商品収納容器は、透明な合成樹脂により形成されているので、内部に収納された商品を外部から目視可能である。このため、消費者は店頭に並べられた収納容器を開封することなく内部の商品を目視できるので、消費者に商品をアピールすることにより、大きな展示効果を得ることができる。
【０００３】
例えば、釣り用リールのスプール（商品の一例）を収納する商品収納容器には、外部からの衝撃を緩和しスプールを保護するものが従来知られている（例えば、非特許文献１参照）。従来の商品収納容器では、合成樹脂製の透明な容器本体の内部に紙製の台座面を設け、台座面に切り欠きを形成してその切り欠きにスプールのスカートの外周面を係合させている。これにより、スプールが安定して保持される。
【先行技術文献】
【非特許文献】
【０００４】
【非特許文献１】ヤフーオークション  平成２１年２月１７日１６時３９分出展  インターネット＜ＵＲＬ：http://page12.auctions.yahoo.co.jp/jp/auction/p112048121#enlargeimg＞
【発明の概要】
【発明が解決しようとする課題】
【０００５】
従来の商品収納容器では、商品を工場から店頭へ搬送したり、商品を保管したりする際に、振動や落下等により外部から衝撃を受けても、スプールが安定して保持される。しかし、スカート部が切り欠き部によって保持されているので、スカート部の外周面が台座面によって隠れる。このため、スカート部の意匠を外部から視認しにくい。
【０００６】
本発明の課題は、収納された商品を安定して保持しかつ商品の外観全体を容器の外部から視認できるようにすることにある。
【課題を解決するための手段】
【０００７】
発明１に係る商品収納容器は、筒状の商品を収納する箱状の容器である。商品収納容器は、容器本体と、第１内側部材と、第２内側部材と、を備えている。容器本体は、透光性を有している。容器本体は、底面部と、底面部の外周を囲んで内部に商品が収納される収納空間を生成する側面部と、底面部と対向して配置され開閉可能な蓋部と、を有している。第１内側部材は、収納空間に配置される部材である。第１内側部材は、底面部と間隔を隔てて配置され商品を載置するための矩形の台座面、及び台座面に形成された係合孔を有する係合部を有している。第２内側部材は、収納空間に配置され台座面と交差する方向に延びる多角形筒形状の部材である。第２内側部材は、商品の内周部を保持する複数の角部及び交差する方向に移動不能に係合孔に係合する被係合部を有している。
【０００８】
この商品収納容器では、台座面に載置された筒状の商品の内周部が多角形筒の第２内側部材の角部に摩擦により保持される。第２内側部材は、第１内側部材の台座面に形成された係合孔に台座面と交差する方向に移動不能に係合している。このため、摩擦により保持された第２内側部材から商品を取り出す際に第２内側部材が第１内側部材から抜けない。
【０００９】
ここでは、台座面に載置された商品の内周面を複数の角部で保持するので、第２内側部材で商品を保持しても、保持する商品の外観全体を容器の外部から視認できる。また、第２内側部材が多角形筒であるので、商品の内周面に台座面と交差する方向の角部の複数の線が接触する。このため、収納された商品を安定して保持できる。
【００１０】
発明２に係る商品収納容器は、発明１に記載の容器において、被係合部は、複数の角部の少なくとも一つに台座面に挿入可能に矩形に切り欠いて形成されている。この場合には、台座面に挿入可能な被係合部が複数の角部の少なくとも一つに形成されている。このため、第２内側部材を係止孔に装着した後に回すことにより第２内側部材を第１内側部材に台座面と交差する方向に移動不能に係止できる。
【００１１】
発明３に係る商品収納容器は、発明２に記載の容器において、被係合部は、一つの角部を除いて複数の角部に形成されている。係合孔は、実質的に第２内側部材の多角筒が係合する多角形孔である。係合孔の一辺には、係合孔に第２内側部材を装着した後に回転させたときに第２内側部材の被係合部が形成されていない一つの角部を配置可能に切り欠かれた一つの角部配置部が形成されている。
【００１２】
この場合には、被係合部が形成されていない角部を係合孔の一辺に形成された角部配置部に配置することにより、第２内側部材を回して係合部に被係合部を係合させたときに、角部が角部配置部に配置されて第２内側部材を回転方向に回り止めできる。
【００１３】
発明４に係る商品収納容器は、発明３に記載の容器において、係合孔の角部配置部が形成されていない残りの辺には、被係合部が弾性的に接触する被係合部接触部が形成されている。この場合には、被係合部が第１内側部材の係合部の被係合部接触部に接触するので、第２内側部材が第１内側部材に対してがたつきにくくなる。
【００１４】
発明５に係る商品収納容器は、発明２から４のいずれかに記載の容器において、多角形筒は、四角形筒である。この場合には、単純な形状で４つの角部及び３つの被係合部を形成できるので、第２内側部材が商品を確実に保持できるとともに、第１内側部材から抜けにくくなる。
【００１５】
発明６に係る商品収納容器は、発明２から５のいずれかに記載の容器において、第１内側部材は、台座面の少なくとも二辺からそれぞれ底面部に向かって延びる少なくとも二つの脚部をさらに有する。この場合には、底面部と台座面との間に空間を形成できるので、空間内に商品の取扱説明書等の付属書類を収納できる。
【００１６】
発明７に係る商品収納容器は、発明６に記載の容器において、第１内側部材は、脚部の一つから延びて底面部に沿って配置される内底面部と、内底面部から延びて側面部の一つに沿って配置される内側面部と、内側面部から延びて蓋部に沿って配置される内蓋部と、をさらに有する。この場合には、第１内側部材を紙素材等の遮光性を有する素材を用いることにより、商品に関する文字や意匠を印刷により外部から視認可能に配置できる。
【００１７】
発明８に係る商品収納容器は、発明２から７のいずれかに記載の容器において、第２内側部材は、１枚のボール紙製のシートを折り曲げて形成された部材である。この場合には、第２内側部材が比較的肉厚の１枚のボール紙製のシートを折り曲げて形成しているので、商品を保持しやすくなる。
【００１８】
発明９に係る商品収納容器は、発明２から８のいずれかに記載の容器において、容器本体は、１枚の透明合成樹脂製のシートを折り曲げて一体的に形成されている。この場合には、容器本体が１枚の透明シートを折り曲げて一体成形されているので、透明シートを加工する製造工程を減少できる。
【発明の効果】
【００１９】
本発明によれば、台座面に載置された商品の内周面を複数の角部で保持するので、第２内側部材で商品を保持しても、保持する商品の外観全体を容器の外部から視認できる。また、第２内側部材が多角形筒であるので、商品の内周面に台座面と交差する方向の角部の複数の線が接触する。このため、収納された商品を安定して保持できる。
【図面の簡単な説明】
【００２０】
【図１】本発明の一実施形態による商品収納容器の斜視図。
【図２】その正面図。
【図３】その一部破断分解斜視図。
【図４】容器本体の展開図。
【図５】第１内側部材の展開図。
【図６】第２内側部材の展開図。
【発明を実施するための形態】
【００２１】
＜商品収納容器の全体構成＞
本発明の一実施形態による商品収納容器１０は、図１及び図２に示すように、筒状の商品としてのスプールＸを内部に収納し、店頭に並べるためのものである。スプールＸは、たとえばスピニングリールのスプールである。スプールＸは、釣り糸を巻き付けるための糸巻き胴部９１と、糸巻き胴部９１の上方に配置された前フランジ部９２と、下方に配置された筒状のスカート部９３と、を有している。
【００２２】
商品収納容器１０は、内部にスプールＸが収納される収納空間１１ａを有する容器本体１１と、収納空間１１ａに配置される第１内側部材１２及び第２内側部材１３と、を備えている。第２内側部材１３は、第１内側部材１２に装着され、複数（例えば４つ）の角部４１ａ〜４１ｄを有する多角形筒（この実施形態では、四角形筒）形状の部材である。第２内側部材１３は、角部４１ａ〜４１ｄで筒状のスプールＸの内周部を保持する。
【００２３】
容器本体１１は、１枚の透光性を有する合成樹脂製のシートを折り曲げて一体的に形成されている。この実施形態では、容器本体１１は、例えば、無色透明なポリプロピレン（ＰＰ）やポリエチレン（ＰＥ）等の合成樹脂製を用いている。第１内側部材１２及び第２内側部材１３は、それぞれ不透明な例えば１枚の紙製のシートを折り曲げて一体的に形成されている。この実施形態では、例えばボール紙を用いているが少なくともいずれかに段ボールを用いても良い。なお、図４から図６は、容器本体１１、第１内側部材１２及び第２内側部材１３をそれぞれ展開した展開図を示したものである。なお、図４及び図６では、破線は折り線の谷線を表し、図５では、谷線を表している。したがって、図４及び図６では、紙面側が内側面となり、図５では、外側面となる。なお、容器本体１１，第１及び第２内側部材１２，１３は、いずれも折れ線部分は折りやすいように予め加工されている。
【００２４】
＜容器本体の構成＞
容器本体１１は、箱状のものであり、図３に示すように底面部２０と、側面部２２と、蓋部２４と、を有している。この実施形態では、容器本体１１は、概ね立方体形状である。
【００２５】
底面部２０は、図４に示すように、組み合わせることで矩形（この実施形態では、概ね正方形）の底面部２０を構成する第１〜第４底部分２０ａ〜２０ｄを有している。第１底部分２０ａは、先端に凸部２１ａを有している。第２底部分２０ｂは、先端に凸部２１ａに係合する凹部２１ｂを有している。第３及び第４底部分２０ｃ,２０ｄは、略線対称な部分であり、先端に凹部２１ｂに係止される突起部２１ｃ，２１ｄをそれぞれ有している。第２底部分２０ｂを折り曲げてから第３及び第４底部分２０ｃ，２０ｄを折り曲げ、それらの上面に第１底部分２０ａを折り曲げて凸部２１ａを凹部２１ｂに挿入することにより底面部２０が形成される。
【００２６】
側面部２２は、底面部２０の外周を囲んで内部にスプールＸが収納される収納空間１１ａ（図３）を生成する。側面部２２は、概ね正方形の第１〜第４側面２２ａ〜２２ｄを有している。第１側面２２ａは、商品収納容器１０の正面に位置する側面である。第２側面２２ｂは背面に、第３側面２２ｃは右側面に、第４側面２２ｄは左側面にそれぞれ位置する側面である。第１〜第４側面２２ａ〜２２ｄの一方の辺に第１〜第４底部分２０ａ〜２０ｄがそれぞれ連なっている。第２側面２２ｂの上縁２２ｆは、他の側面２２ａ，２２ｃ，２２ｄより高さが高くなっている。これは、蓋部２４の後述する舌部２４ａを第２側面２２ｂの内側面に挿入しやすくするためである。
【００２７】
第２側面２２ｂの縁部には、糊代２２ｅが形成されている。糊代２２ｅは、第４側面２２ｄの内側面に接着される。第３及び第４側面２２ｃ，２２ｄの他方の辺には蓋部２４の内側に折り返される補強部２５ｃ，２５ｄが形成されている。補強部２５ｃ，２５ｃは、蓋部２４を補強するとともに、容器本体１１内に装着されるスプールＸを抜けにくくするために設けられている。第２側面２２ｂの上部には、蓋部２４をロックするためのロックスリット２２ｇが形成されている。
【００２８】
蓋部２４は、図２及び図４に示すように、底面部２０と対向して配置され、第１側面２２ａの底面部２０と逆側の縁部から延びて形成されている。蓋部２４は、矩形（この実施形態では、概ね正方形）の形状であり、第１側面２２ａの逆側縁部に開閉可能に折り曲げられている。蓋部２４の先端部には、折れ曲がり可能に突出し、第２側面２２ｂの内側面に挿入される舌部２４ａが形成されている。舌部２４ａには、ロックスリット２２ｇに係止されるスリット２４ｂが形成されている。
【００２９】
＜第１内側部材の構成＞
第１内側部材１２は、収納空間１１ａ内に配置される部材である。第１内側部材１２は、図３及び図５に示すように、スプールＸを載置するための矩形の台座面３１と、台座面３１に形成された係合孔３３を有する係合部３２と、を有している。また、第１内側部材１２は、少なくとも二つ（この実施形態では四つ）の脚部３４ａ〜３４ｄと、一つの脚部３４ａから延びる内底面部３５と、内底面部３５から延びる内側面部３６と、内側面部３６から延びる内蓋部３７と、をさらに有している。
【００３０】
台座面３１は、矩形の底面部２０と間隔を隔てて配置されている。台座面３１は、第１〜第４側面２２ａ〜２２ｄの内側面に接触可能に矩形に形成されている。
【００３１】
係合部３２の係合孔３３は、第２内側部材１３の多角形筒の外形に係合するように多角形孔（この実施形態では、四角形孔）である。係合孔３３は、例えは４つの辺３３ａ〜３３ｄを有し、台座面３１と同芯に配置されている。係合孔３３の背面側にある一辺３３ｂには、係合孔３３に第２内側部材１３を装着した後に例えば角度α（α＝３６０／（多角形の角の数Ｎ×２）であり、この実施形態では、４５度）回転させたときに第２内側部材１３の角部４１ｂを配置可能に切り欠かれた一つの角部配置部３８が形成されている。係合孔３３の角部配置部３８が形成されていない残りの三辺３３ａ，３３ｃ，３３ｄには、後述する被係合部４２ａ，４２ｃ，４２ｄが弾性的に接触する被係合部接触部３９ａ，３９ｃ，３９ｄが形成されている。角部配置部３８は、角部４１ｂが回転可能となるような円弧部３８ａと、角部４１ｂが回転方向に回り止めされるように接触する直線的な形状の回り止め部３８ｂと、を有している。円弧部３８ａは、係合孔３３の中心と実質的に等しい回転中心Ｃを中心とする円弧で構成されている。回り止め部３８ｂは、辺３３ｂに対して４５度傾斜しており、第２内側部材１３の外側面に接触可能である。
【００３２】
被係合部接触部３９ａ，３９ｃ，３９ｄは、被係合部４２ａ，４２ｃ，４２ｄが弾性的に接触可能に回転中心Ｃを中心とする円弧で形成されている。被係合部接触部３９ａ，３９ｃ，３９ｄには、被係合部接触部３９ａ，３９ｃ，３９ｄをたわみやすくするための１対のスリット４０ａ，４０ｃ，４０ｄがそれぞれ形成されている。スリット４０ａ，４０ｃ，４０ｄは、先広がりに斜めに形成されている。
【００３３】
被係合部接触部３９ｃの近くにおいて台座面３１には、第２内側部材１３を装着する際の合わせマーク４７が、例えば三角形で印刷されている。
【００３４】
脚部３４ａ〜３４ｄは、台座面３１の少なくとも二辺（この実施形態では四辺）から折り曲げられてそれぞれ底面部２０に向かって延びている。脚部３４ａ〜３４ｄは、第１〜第４側面２２ａ〜２２ｄのそれぞれ内側に配置されている。脚部３４ａの表面には、例えば、例えばスプールＸの互換性等のスプールＸに関する文字が印刷されている。脚部３４ｃ，３４ｄの脚部３４ａ側の縁部には、耳部３４ｅ，３４ｆがそれぞれ形成されている。耳部３４ｅ，３４ｆは、脚部３４ａと、その両側の脚部３４ｃ，３４ｄとの間に隙間が生じても、隙間を見えなくするために設けられている。
【００３５】
内底面部３５は、脚部３４ａから折り曲げられて、底面部２０の内側面に沿って配置されている。内底面部３５は、底面部２０より僅かに幅が狭い。内側面部３６は、内底面部３５から折り曲げられて第２側面２２ｂの内側面に沿って配置されている。内側面部３６は、第２側面２２ｂの内側面の略全面にわたって形成されている。内蓋部３７は、内側面部３６から折り曲げられて蓋部２４の内側面と補強部２５ｃ，２５ｄの外側面との間に配置されている。内蓋部３７は、蓋部２４の内側面の一部に配置されている。具体的には、内蓋部３７は、内側面部３６の両側部から徐々に幅が狭くなる台形部３７ａと、蓋部２４の中心を覆うようにＵ字状の外形を有する中心部３７ｂとを有している。中心部３７ｂには、例えば、スプールＸの名称や型番等のスプールＸに関する文字や意匠が印刷されている。
【００３６】
＜第２内側部材の構成＞
第２内側部材１３は、収納空間１１ａに配置され、台座面３１と交差する方向（この実施形態では、上下方向）に延びる多角形筒形状（この実施形態では、四角形筒）の部材である。第２内側部材１３は、図３及び図６に示すように、スプールＸのスカート部９３の内周部を保持する前述した四つの角部４１ａ〜４１ｄと、上下方向に移動不能に係合孔３３に係合する被係合部４２ａ，４２ｃ，４２ｄを有している。被係合部４２ａ，４２ｃ，４２ｄは、複数の角部４１ａ〜４１ｄの少なくとも一つ（この実施形態では、三つの角部４１ａ，４１ｃ，４１ｄ）に台座面３１に挿入可能に矩形に切り欠いて形成されている。被係合部４２ａ，４２ｃ，４２ｄは、第２内側部材１３の一端が第１内側部材の内底面部３５に接触したときに、台座面３１に挿入可能な高さ位置に形成されている。したがって、脚部３４ａの上下方向の長さと実質的に同じ位置に上下方向の中心位置が形成されている。被係合部４２ａ，４２ｃ，４２ｄの矩形の切り欠きに台座面３１の被係合部接触部３９ａ，３９ｃ，３９ｄを係合させることによって、被係合部３２ａ，４２ｃ，４２ｄで台座面３１が支持され台座面３１の強度が高くなる。このため、スプールＸの荷重が台座面３１に作用しても、係合部分で台座面３１が沈みにくくなる。
【００３７】
また、第２内側部材１３の角部４１ａ〜４１ｄの間の辺４３ａ〜４３ｄは、実質的に同じ長さであり、第２内側部材１３は、正方形の筒状部材である。辺４３ｄには、耳部４４が形成されている。耳部４４は、角部４１ｂを形成するために設けられている。また、角部４１ｂとそれに合わせられる辺４３ｂの縁部には、係合突起４５ｂ，４５ｃが形成されている。耳部４４を辺４３ｄの外側面に重ねる際に、係合突起４５ｃを係合突起４５ｂの内側に配置することにより、第２内側部材１３の形状を一時的に保持することができる。
【００３８】
辺４３ｃにおいて、被係止部４２ａと被係止部４２ｃとの間には、第２内側部材１３を第１内側部材１２に装着する際の合わせマーク４８が三角形の形状で印刷されている。この合わせマーク４８を第１内側部材１２の合わせマーク４７に合わせることにより、角部４１ｂが角部配置部３８に係合する。
【００３９】
ここで、角部配置部３８を背面側の一辺３３ｂに配置したのは、被係合部がなく台座面３１に係合していない角４１ｂを背面に配置すると、係合孔３３の正面及び左右に台座面３１を支持する被係合部４２ａ，４２ｃ，４２ｄが配置されるからである。これにより、台座面３１に載置されたスプールＸの左右のバランスが崩れにくくなる。また、かりに角部４１ｂ側で台座面３１がスプールＸの荷重により沈んでも、背面側にスプールＸが傾くため、スプールＸを容器収納容器１０の正面から見やすくなる。
【００４０】
＜商品収納容器の組立手順＞
このような商品収納容器１０を組み立てる手順の一例について、以下に詳細に説明する。
【００４１】
容器本体１１を組み立てる際には、図４において、最初に第１から第４側面２２ａ〜２２ｄを折り曲げて、糊代２２ｄに接着剤を塗布して、糊代２２ｄ第４側面２２ｄの内側面に接着する。続いて、底面部２０を形成する。最初に、第２底部分２０ｂを折り曲げてから第３及び第４底部分２０ｃ，２０ｄを折り曲げ、それらの上面に第１底部分２０ａを折り曲げて凸部２１ａを凹部２１ｂに挿入する。これにより底面部２０が完成し、図３に示すような箱形形状になる。
【００４２】
第１内側部材１２を組み立てる際には、図５において、台座面３１の周囲の脚部３４ａ〜３４ｄを外側に折り曲げる。このとき、耳部３４ｅ，３４ｆを脚部３４ａの裏側面に折り曲げておく。そして、内底面部３５、及び内側面部３６をそれぞれ９０度折り曲げると、図３に示すようなＬ字形状になる。
【００４３】
第２内側部材１３を組み立てる際には、耳部４４を辺４３ｂの外側面に合わせて各角部４１ａ〜４１ｄを折り曲げ、係合突起４５ｃを係合突起４５ｂの内側に配置する。これにより、折り曲げられた状態が保持され、第２内側部材１３が図３に示すような四角筒形状になり第２内側部材１３が完成する。
【００４４】
次に、完成した第２内側部材１３を第１内側部材１２に装着する。この装着の際には、被係合部４２ａ，４２ｃ，４２ｄが台座面３１に係合するように係合孔３３に第２内側部材１３を装着する。また、２つの合わせマーク４７，４８が合うように第２内側部材１３を配置する。これにより、被係合部４２ａ，４２ｃ，４２ｄが形成されていない角部４１ｂが係合孔３３の辺３３ｂと辺３３ｄとの間の角に配置される。この状態で、第２内側部材１３を図３に矢印で示す反時計回りに４５度回転させる。このとき、角部４１ｂは、角部配置部３８の円弧部３８ａに接触しながら移動し、回転を終わると、辺４３ｂが回り止め部３８ｂに接触する。これにより、被係合部４２ａ，４２ｃ，４２ｄの両端部が被係合部接触部３９ａ，３９ｃ，３９ｄに弾性的に接触する。また、被係合部接触部３９ａ，３９ｃ，３９ｄの間の部分が被係合部４２ａ，４２ｃ，４２ｄ内に挿入される。この結果、第２内側部材１３が第１内側部材１２に上下方向に抜け止めされた状態で反時計回りに回り止めされて装着される。
【００４５】
この状態で第２内側部材１３が装着された第１内側部材１２を容器本体１１に装着する。この際には、第１側面２２ａに脚部３４ａが配置されるように装着する。この状態は、図３に示した第２内側部材１３を第１内側部材１２に装着し、さらに、第１内側部材１２を容器本体１１に装着した状態である。したがって、蓋部２４と内蓋部３７とは折り返し部が反対側に配置される。
【００４６】
続いて、第１内側部材１２の補強部２５ｃ，２５ｄを９０度それぞれ内側に折り曲げ、第１内側部材１２の内蓋部３７を折り曲げて補強部２５ｃ，２５ｄの外側面に配置する。最後に、蓋部２４を９０度折り曲げ、舌部２４ａをさらに９０度折り曲げて内側面部３６の外側面と第２側面２０ｂの内側面との隙間に挿入する。このとき、第２側面２０ｂは、他の側面２０ａ，２０ｃ，２０ｄ及び内側面部３６より高さが高いので僅かに上方に突出している。このため、舌部２４ａを隙間に挿入しやすくなる。また、ロックスリット２２ｇにスリット２４ｂが係止されて、蓋部２４が開きにくくなる。これにより、商品収納容器１０の組立が完了する。
【００４７】
スプールＸを商品収納容器１０に収納する場合は、蓋部２４、内蓋部３７及び補強部２５ｃ，２５ｄを開いて、スプールＸのスカート部９３の内周面を第２内側部材１３に装着する。すると、その４つの角部４１ａ〜４１ｄでスプールＸの内周面が摩擦により保持される。
【００４８】
＜特徴＞
（Ａ）この商品収納容器１０では、台座面３１に載置された筒状のスプールＸのスカート部９３の内周部が第２内側部材１３の角部４１ａ〜４１ｄに摩擦により保持される。第２内側部材１３は、第１内側部材１２の台座面３１に形成された係合孔３３に台座面と交差する上下方向に移動不能に係合している。このため、摩擦により保持された第２内側部材１３からスプールＸを取り出す際に第２内側部材１３が第１内側部材１２から抜けない。
【００４９】
ここでは、台座面３１に載置されたスプールＸの内周面を複数の角部４１ａ〜４１ｄで保持するので、第２内側部材１３でスプールＸを保持しても、保持するスプールＸの外観全体を商品収納容器１０の外部から視認できる。また、第２内側部材１３が多角形筒であるので、スプールＸの内周面に台座面３１と交差する上下方向の角部４１ａ〜４１ｄの複数の線が接触する。このため、収納されたスプールＸを安定して保持できる。
【００５０】
（Ｂ）台座面３１に挿入可能な被係合部４２ａ，４２ｃ，４２ｄが複数の角部４１ａ，４１ｃ，４１ｄに形成されている。このため、第２内側部材１３を係合孔３３に装着した後に回すことにより第２内側部材１３を第１内側部材１２に台座面３１と交差する上下方向に移動不能に係止できる。
【００５１】
（Ｃ）被係合部４２ａ，４２ｃ，４２ｄが形成されていない角部４１ｂに角部配置部３８に配置することにより、第２内側部材１３を回して係合部３２に被係合部４２ａ，４２ｃ，４２ｄを係合させたときに、角部４１ｂが角部配置部３８に配置されて第２内側部材１３を回転方向に回り止めできる。
【００５２】
（Ｄ）係合孔３３の角部配置部３８が形成されていない残りの辺３３ａ，３３ｃ，３３ｄには、被係合部４２ａ，４２ｃ，４２ｄが弾性的に接触する被係合部接触部３９ａ，３９ｃ，３９ｄが形成されている。ここでは、被係合部４２ａ，４２ｃ，４２ｄが第１内側部材１２の係合部３２の被係合部接触部３９ａ，３９ｃ，３９ｄに接触するので、第２内側部材１３が第１内側部材１２に対してがたつきにくくなる。
【００５３】
（Ｅ）第２内側部材１３が四角形筒であるので、単純な形状で４つの角部４１ａ〜４１ｄ及び３つの被係合部４２ａ，４２ｃ，４２ｄを形成できるので、第２内側部材１３がスプールＸを確実に保持できるとともに、第１内側部材１２から抜けにくくなる。
【００５４】
（Ｆ）第１内側部材１２は、台座面３１の少なくとも二辺からそれぞれ底面部２０に向かって延びる少なくとも二つの脚部３４ａ〜３４ｄをさらに有する。この場合には、底面部２０と台座面３１との間に空間を形成できるので、空間内に商品の取扱説明書等の付属書類を収納できる。
【００５５】
（Ｇ）遮光性を有する紙製の第１内側部材１２が透光性を有する容器本体１１の内側に配置されているので、商品に関する文字や意匠を印刷により外部から視認可能に配置できる。
【００５６】
（Ｈ）第２内側部材１３が比較的肉厚の１枚のボール紙製のシートを折り曲げて形成しているので、スプールＸを保持しやすくなる。
【００５７】
（Ｉ）容器本体１１が１枚の透明シートを折り曲げて一体成形されているので、透明シートを加工する製造工程を減少できる。
【００５８】
＜他の実施形態＞
以上、本発明の一実施形態について説明したが、本発明は上記実施形態に限定されるものではなく、発明の要旨を逸脱しない範囲で種々の変更が可能である。
【００５９】
（ａ）前記実施形態では、商品として筒状のスプールＸを例示したが、本発明が収納する商品はスプールＸに限定されず、両軸受リールや片軸受リールのスプール等の筒状の商品を収納するすべての商品収納容器に適用できる。
【００６０】
（ｂ）前記実施形態では、第１及び第２内側部材１２，１３を紙製のシートで作成したが、本発明はこれに限定されず、合成樹脂製のシートを用いても良い。
【００６１】
（ｃ）前記実施形態では、多角形筒として四角形筒を例示したが、本発明はこれに限定されない。多角形筒は３角形筒以上であればどのような筒でも良い。ただし、経済性等の面から８角形筒までが好ましい。
【００６２】
（ｄ）前記実施形態では、１つの角部４１ｂに被係合部を形成しなかったが、すべての角部に被係合部を形成しても良い。この場合は、角部配置部は設けなくて良い。
【符号の説明】
【００６３】
１０  商品収納容器
１１  容器本体
１１ａ  収納空間
１２  第１内側部材
１３  第２内側部材
２０  底面部
２２  側面部
２４  蓋部
３１  台座面
３２  係合部
３３  係合孔
３４ａ〜３４ｄ  脚部
３５  内底面部
３６  内側面部
３７  内蓋部
３８  角部配置部
３９ａ，３９ｃ，３９ｄ  被係合部接触部
４１ａ〜４１ｄ  角部
４２ａ，４２ｃ，４２ｄ  被係合部
Ｘ  スプール（商品の一例）
【図１】
2010202198.tif 000003
【図２】
2010202198.tif 000004
【図３】
2010202198.tif 000005
【図４】
2010202198.tif 000006
【図５】
2010202198.tif 000007
【図６】
2010202198.tif 000008